(57)【要約】【課題】端末がランダムアクセスチャネルを使用してプリアンブル信号やメッセージを基地局装置へ送信するシステムにおいて、基地局装置は端末が送信していないメッセージの受信動作を行わず、ベースバンドリソースの効率的使用を実現する。【解決手段】基地局１０は、プリアンブル信号の検出により肯定応答信号ＡＣＫを送信した後、一定期間は、次に受信する信号がプリアンブル信号の場合は、そのプリアンブル信号のパス位置が同じであるかどうかを判定し、パス位置が同じである場合は、同一端末１からのプリアンブル信号の再送であると判断して（１３で示す）、ＡＩＣＨで否定応答信号ＮＡＣＫを送信する。基地局１０は、一度ＮＡＣＫを送信すると、メッセージ待ち受け状態を解除して端末１からのＮＡＣＫに対応するメッセージを待ち受けない。これにより、ベースバンドリソースの効率利用が可能になる。【選択図】図１
2009177653.tif 000002
【特許請求の範囲】
【請求項１】
第１のプリアンブル信号を受信するステップと、
ランダムアクセスチャネルを用いて肯定応答信号を送信するステップと、
前記送信ステップの後、一定期間内で受信した第２のプリアンブル信号の送信元が前記第１のプリアンブル信号と同じ場合、ランダムアクセスチャネルを用いて否定応答信号を送信元へ送信するステップと
を含むことを特徴とするランダムアクセス方法。
【請求項２】
通信端末がランダムアクセスチャネルを用いて、該通信端末からのメッセージ送信許可の要求のために、プリアンブル信号を基地局装置に送信するランダムアクセス方法において、
前記基地局装置が前記プリアンブル信号の受信の検出により、送信元の前記通信端末へ前記ランダムアクセスチャネルを用いて肯定応答信号を送信する第１のステップと、
前記肯定応答信号送信後に前記通信端末から送信される前記メッセージの受信を待ち受ける第２のステップと、
前記基地局装置が前記メッセージの受信の待ち受け状態にある前記肯定応答信号送信後の一定期間内において、再度前記プリアンブル信号の受信を検出した時は、そのプリアンブル信号の送信元が前記肯定応答信号を送信した通信端末と同じであるか否かを判定する第３のステップと、
前記第３のステップによりプリアンブル信号の送信元が同じ前記通信端末と判定した場合、前記ランダムアクセスチャネルを用いて否定応答信号を前記プリアンブル信号の送信元の前記通信端末へ送信する第４のステップと
を含むことを特徴とするランダムアクセス方法。
【請求項３】
前記基地局装置は、前記第４のステップにより前記否定応答信号送信後は、前記メッセージの受信の待ち受けを解除する第５のステップを更に含むことを特徴とする請求項２記載のランダムアクセス方法。
【請求項４】
前記第５のステップにより前記メッセージの受信の待ち受けを解除した後に、前記第１のステップで前記肯定応答信号を送信した前記通信端末と同じ通信端末から前記プリアンブル信号の受信を検出したときは、前記ランダムアクセスチャネルを用いて否定応答信号を前記プリアンブル信号の送信元の前記通信端末へ送信する第６のステップを更に含むことを特徴とする請求項３記載のランダムアクセス方法。
【請求項５】
前記第３のステップは、前記プリアンブル信号の送信元が同じ前記通信端末であるか否かを、前記基地局装置が前回受信したプリアンブル信号と、前記通信端末から再送されて今回受信したプリアンブル信号とのパス位置同士を比較して同じであるかどうかにより判定することを特徴とする請求項２乃至４のうちいずれか一項記載のランダムアクセス方法。
【請求項６】
前記第３のステップは、前記プリアンブル信号の送信元が同じ前記通信端末であるか否かを、前記基地局装置が前回受信したプリアンブル信号と、前記通信端末から再送されて今回受信したプリアンブル信号とのパスレベル同士、及び前回受信したプリアンブル信号と今回受信したプリアンブル信号の受信間隔のうちの一方の比較により判定することを特徴とする請求項２乃至４のうちいずれか一項記載のランダムアクセス方法。
【請求項７】
通信端末からプリアンブル信号を受信する受信部と、
前記通信端末へ肯定応答信号又は否定応答信号をランダムアクセスチャネルを用いて送信する送信部と、
前記受信部が前記通信端末から第１のプリアンブル信号を受信したときに、前記通信端末へランダムアクセスチャネルを用いて前記送信部により前記肯定応答信号を送信させた後、一定期間内で前記受信部が受信した第２のプリアンブル信号と前記第１のプリアンブル信号の送信元が同じ通信端末である場合、前記ランダムアクセスチャネルを用いて前記送信部により前記否定応答信号を送信元の前記通信端末へ送信させる制御部と
を有することを特徴とする基地局装置。
【請求項８】
通信端末がランダムアクセスチャネルを用いて送信したプリアンブル信号を受信したときに、その通信端末に対してメッセージ送信許可を与えた後、該通信端末から送信されたメッセージを受信する基地局装置において、
前記通信端末から前記ランダムアクセスチャネルを用いて送信された信号を受信する受信手段と、
前記受信手段により受信した信号が前記プリアンブル信号であるとき、送信元の前記通信端末へ前記ランダムアクセスチャネルを用いて肯定応答信号を送信する肯定応答信号送信手段と、
前記肯定応答信号送信後に前記通信端末から送信される前記メッセージの受信の待ち受け状態にある前記肯定応答信号送信後の一定期間内において、前記受信手段により受信した信号が前記プリアンブル信号であるときは、そのプリアンブル信号の送信元が前記肯定応答信号を送信した通信端末と同じであるか否かを判定する判定手段と、
前記判定手段によりプリアンブル信号の送信元が同じ前記通信端末と判定した場合、前記ランダムアクセスチャネルを用いて否定応答信号を前記プリアンブル信号の送信元の前記通信端末へ送信する否定応答信号送信手段と
を有することを特徴とする基地局装置。
【請求項９】
前記否定応答信号送信手段により前記否定応答信号送信後は、前記メッセージの受信の待ち受けを解除する手段を更に有することを特徴とする請求項８記載の基地局装置。
【請求項１０】
前記メッセージの受信の待ち受けを解除した後に、前記肯定応答信号送信手段により前記肯定応答信号を送信した前記通信端末と同じ通信端末から前記プリアンブル信号の受信を検出したときは、前記ランダムアクセスチャネルを用いて否定応答信号を前記プリアンブル信号の送信元の前記通信端末へ送信する第２の否定応答信号送信手段を更に有することを特徴とする請求項８記載の基地局装置。
【請求項１１】
前記判定手段は、前記プリアンブル信号の送信元が同じ前記通信端末であるか否かを、前回受信したプリアンブル信号と、前記通信端末から再送されて今回受信したプリアンブル信号とのパス位置同士を比較して同じであるかどうかにより判定する手段であることを特徴とする請求項８乃至１０のうちいずれか一項記載の基地局装置。
【請求項１２】
前記判定手段は、前記プリアンブル信号の送信元が同じ前記通信端末であるか否かを、前回受信したプリアンブル信号と、前記通信端末から再送されて今回受信したプリアンブル信号とのパスレベル同士、及び前回受信したプリアンブル信号と今回受信したプリアンブル信号の受信間隔のうちの一方の比較により判定する手段であることを特徴とする請求項８乃至１０のうちいずれか一項記載の基地局装置。
【請求項１３】
ランダムアクセスチャネルを用いてプリアンブル信号を送信する通信端末と、前記プリアンブル信号の受信確認により前記ランダムアクセスチャネルを用いて肯定応答信号を前記通信端末に送信する基地局装置とからなる無線通信システムにおいて、
前記基地局装置が、
前記通信端末からプリアンブル信号を受信する受信部と、
前記通信端末へ肯定応答信号又は否定応答信号をランダムアクセスチャネルを用いて送信する送信部と、
前記受信部が前記通信端末から第１のプリアンブル信号を受信したときに、前記通信端末へランダムアクセスチャネルを用いて前記送信部により前記肯定応答信号を送信させた後、一定期間内で前記受信部が受信した第２のプリアンブル信号と前記第１のプリアンブル信号の送信元が同じ通信端末である場合、前記ランダムアクセスチャネルを用いて前記送信部により前記否定応答信号を送信元の前記通信端末へ送信させる制御部と
を備えたことを特徴とする無線通信システム。
【請求項１４】
ランダムアクセスチャネルを用いてメッセージ送信許可の要求のためにプリアンブル信号又はメッセージを送信する通信端末と、前記プリアンブル信号の受信確認により前記ランダムアクセスチャネルを用いて肯定応答信号を前記通信端末に送信後にメッセージの受信待ち受け状態となる基地局装置とからなる無線通信システムにおいて、
前記基地局装置は、
前記通信端末から前記ランダムアクセスチャネルを用いて送信された信号を受信する第１の受信手段と、
前記第１の受信手段により受信した信号が前記プリアンブル信号であるとき、送信元の前記通信端末へ前記ランダムアクセスチャネルを用いて肯定応答信号を送信する肯定応答信号送信手段と、
前記肯定応答信号送信後に前記通信端末から送信される前記メッセージの受信の待ち受け状態にある前記肯定応答信号送信後の一定期間内において、前記第１の受信手段により受信した信号が前記プリアンブル信号であるときは、そのプリアンブル信号の送信元が前記肯定応答信号を送信した通信端末と同じであるか否かを判定する判定手段と、
前記判定手段によりプリアンブル信号の送信元が同じ前記通信端末と判定した場合、前記ランダムアクセスチャネルを用いて否定応答信号を前記プリアンブル信号の送信元の前記通信端末へ送信する否定応答信号送信手段と、を有し、
前記通信端末は、
前記基地局装置から前記ランダムアクセスチャネルを用いて送信された信号を受信する第２の受信手段と、
前記ランダムアクセスチャネルを用いて所定の間隔で前記プリアンブル信号をパワーランプリングしながら所定回数、前記基地局装置へ送信するプリアンブル信号送信手段と、
前記プリアンブル信号送信手段による前記プリアンブル信号の送信後に、前記第２の受信手段により受信した信号が肯定応答信号であるときは、メッセージを前記ランダムアクセスチャネルを用いて前記基地局装置へ送信するメッセージ送信手段と、
前記プリアンブル信号送信手段による前記プリアンブル信号の送信後に、前記第２の受信手段により受信した信号が否定応答信号であるとき、又は所定期間内に前記第２の受信手段により信号を何も受信しないときは、前記プリアンブル信号を再送するプリアンブル信号再送手段と、を有する
ことを特徴とする無線通信システム。
【請求項１５】
前記基地局装置は、前記否定応答信号送信手段により前記否定応答信号送信後は、前記メッセージの受信の待ち受けを解除する手段を更に有することを特徴とする請求項１４記載の無線通信システム。
【請求項１６】
前記基地局装置は、前記メッセージの受信の待ち受けを解除した後に、前記肯定応答信号送信手段により前記肯定応答信号を送信した前記通信端末と同じ通信端末から前記プリアンブル信号の受信を検出したときは、前記ランダムアクセスチャネルを用いて否定応答信号を前記プリアンブル信号の送信元の前記通信端末へ送信する第２の否定応答信号送信手段を更に有することを特徴とする請求項１５記載の無線通信システム。
【請求項１７】
前記判定手段は、前記プリアンブル信号の送信元が同じ前記通信端末であるか否かを、前回受信したプリアンブル信号と、前記通信端末から再送されて今回受信したプリアンブル信号とのパス位置同士を比較して同じであるかどうかにより判定する手段であることを特徴とする請求項１４乃至１６のうちいずれか一項記載の無線通信システム。
【請求項１８】
前記判定手段は、前記プリアンブル信号の送信元が同じ前記通信端末であるか否かを、前回受信したプリアンブル信号と、前記通信端末から再送されて今回受信したプリアンブル信号とのパスレベル同士、及び前回受信したプリアンブル信号と今回受信したプリアンブル信号の受信間隔のうちの一方の比較により判定する手段であることを特徴とする請求項１４乃至１６のうちいずれか一項記載の無線通信システム。
【発明の詳細な説明】
【技術分野】
【０００１】
本発明はランダムアクセス方法及び基地局装置並びに無線通信システムに係り、特にＷーＣＤＭＡ(Wideband-Code Division Multiple Access)方式の移動通信システムにおけるランダムアクセス方法及び基地局装置並びに無線通信システムに関する。
【背景技術】
【０００２】
多元接続方式の一つであるＷーＣＤＭＡ方式の移動通信システムでは、携帯通信端末などの端末は、ランダムアクセスチャネル（ＲＡＣＨ）を用いて基地局にプリアンブル信号を送信してランダムアクセスする。例えば、図５のシーケンス図に示すように、携帯通信端末などの端末１は、発呼する場合やパケット送信時には、ＲＡＣＨを用いてプリアンブル信号をpreamble1、preamble2、preamble3で示すように、ある間隔（通常は６スロット）でパワーランピング（power ramping）をしながら基地局２に送信する。上記のプリアンブル信号は、端末１からのメッセージ送信許可の要求を基地局２に伝える信号として用いられる。
【０００３】
基地局２は、プリアンブル信号を受信すると、その遅延プロファイルを求め、予め定めた閾値を超えるパスを検出するパス検出処理を行う。そして、基地局２は、パスが検出された場合であって、メッセージが受信可能な場合、図５に３で示すように、ＡＩＣＨ(Acquisition Indicator Channel)を用いて肯定応答信号ＡＣＫを端末１へ返送し、プリアンブル信号を受信確認できたことを端末１に通知する。
【０００４】
端末１はこのＡＣＫを受信して検出すると（図５に４で示す）、プリアンブル信号の送信を完了して、今度は、ＲＡＣＨを用いてメッセージを基地局２へ送信する。基地局２は、上記のメッセージを受信すると、図５に５で示すように受信メッセージに含まれるＣＲＣ符号を用いた誤り検出を行って必要に応じて誤り訂正して受信メッセージを解読する。
【０００５】
なお、基地局が端末からのプリアンブル信号の受信数をカウントし、受信数が閾値を超えた場合に、否定応答信号ＮＡＣＫを端末へ送信する通信システムが知られている（例えば、特許文献１参照）。
【０００６】
【特許文献１】特開２００５−３５４４８８号公報（第６頁、第８頁）
【発明の開示】
【発明が解決しようとする課題】
【０００７】
しかしながら、図６のシーケンス図に示すように、基地局２がプリアンブル信号の受信確認を行ってＡＩＣＨで肯定応答信号ＡＣＫを端末１へ送信しても、伝搬環境等により端末１がその肯定応答信号ＡＣＫを受信できない場合（図６に６で示す）、あるいは、基地局２で基地局２向けのプリアンブル信号を誤検出している場合は、端末１は再びプリアンブル信号を基地局２へ送信する。すると、基地局２では、肯定応答信号ＡＣＫ送信後に受信した信号がＣＲＣ ＮＧの結果メッセージではないと判断し、かつ、受信信号がプリアンブル信号であると検出する結果（図６に７で示す）、再びＡＩＣＨで肯定応答信号ＡＣＫを端末１へ送信する。
【０００８】
しかし、上記の肯定応答信号ＡＣＫも端末１が受信できない場合（図６に８で示す）は、端末１は再びプリアンブル信号を基地局２へ送信する。基地局２では、肯定応答信号ＡＣＫ送信後に再び受信した信号がＣＲＣ ＮＧの結果メッセージではないと判断し、かつ、受信信号がプリアンブル信号であると検出し（図６に９で示す）、再びＡＩＣＨで肯定応答信号ＡＣＫを端末１へ送信する。
【０００９】
このように、基地局２は、プリアンブル信号を受信確認してＡＩＣＨで肯定応答信号ＡＣＫを端末１へ送信しているにも拘らず、端末１で肯定応答信号ＡＣＫを検出できないために、基地局２においてＣＲＣ ＮＧが頻発するような場合が起こり得る。この場合、実際にメッセージを端末１が送信していないにも拘らず、基地局２はメッセージ受信動作を開始することになり、信号受信におけるベースバンド処理の際に確保するリソースであるベースバンドリソース（逆拡散器、相関器、チャネルコーディングを行うためのメモリ確保量やＣＰＵ処理時間など）の浪費につながる。
【００１０】
本発明は以上の点に鑑みなされたもので、端末が送信していないメッセージの受信動作を行わず、ベースバンドリソースの効率的使用を実現し得るランダムアクセス方法及び基地局装置並びに無線通信システムを提供することを目的とする。
【課題を解決するための手段】
【００１１】
上記の目的を達成するため、第１の発明のランダムアクセス方法は、第１のプリアンブル信号を受信するステップと、ランダムアクセスチャネルを用いて肯定応答信号を送信するステップと、送信ステップの後、一定期間内で受信した第２のプリアンブル信号の送信元が第１のプリアンブル信号と同じ場合、ランダムアクセスチャネルを用いて否定応答信号を送信元へ送信するステップとを含むことを特徴とする。
【００１２】
また、上記の目的を達成するため、第２の発明の基地局装置は、通信端末からプリアンブル信号を受信する受信部と、通信端末へ肯定応答信号又は否定応答信号をランダムアクセスチャネルを用いて送信する送信部と、受信部が通信端末から第１のプリアンブル信号を受信したときに、通信端末へランダムアクセスチャネルを用いて送信部により肯定応答信号を送信させた後、一定期間内で受信部が受信した第２のプリアンブル信号と第１のプリアンブル信号の送信元が同じ通信端末である場合、ランダムアクセスチャネルを用いて送信部により否定応答信号を送信元の通信端末へ送信させる制御部とを有することを特徴とする。
【００１３】
更に、上記の目的を達成するため、第３の発明の無線通信システムは、ランダムアクセスチャネルを用いてプリアンブル信号を送信する通信端末と、プリアンブル信号の受信確認によりランダムアクセスチャネルを用いて肯定応答信号を通信端末に送信する基地局装置とからなる無線通信システムにおいて、基地局装置が、通信端末からプリアンブル信号を受信する受信部と、通信端末へ肯定応答信号又は否定応答信号をランダムアクセスチャネルを用いて送信する送信部と、受信部が通信端末から第１のプリアンブル信号を受信したときに、通信端末へランダムアクセスチャネルを用いて送信部により肯定応答信号を送信させた後、一定期間内で受信部が受信した第２のプリアンブル信号と第１のプリアンブル信号の送信元が同じ通信端末である場合、ランダムアクセスチャネルを用いて送信部により否定応答信号を送信元の通信端末へ送信させる制御部とを備えたことを特徴とする。
【発明の効果】
【００１４】
本発明によれば、基地局装置において不要なメッセージ待ち受けを省略することにより、ベースバンドリソースの効率的利用ができる。
【発明を実施するための最良の形態】
【００１５】
次に、本発明の実施形態について図面と共に説明する。
【００１６】
図１は、本発明になるランダムアクセス方法の一実施形態のシーケンス図を示す。本実施形態は、図１に示すように、端末１と基地局１０とを含むＷーＣＤＭＡ方式の移動通信システムである。基地局１０は図５、図６に示した基地局２とは構成が異なり、一度ＡＩＣＨで肯定応答信号ＡＣＫを送信した後は、一定期間、受信したプリアンブル信号のパス位置が同じである場合に、同一端末からのプリアンブル信号の再送であると判断し、ＡＩＣＨで否定応答信号ＮＡＣＫを送信する構成である。なお、端末１は通信端末の一種である携帯通信端末を示すが、必ずしもこれに限定されない。
【００１７】
次に、本実施形態の動作について説明する。
【００１８】
図１において、携帯通信端末である端末１がpreamble1、preamble2、preamble3で示すようにプリアンブル信号を所定の間隔（通常６スロット）で３回送信する。基地局１０は、上記のプリアンブル信号を図２に示すように時刻ｔ１、ｔ２、ｔ３で順次受信し、３回目に受信したプリアンブル信号の相関電力値（サーチしたときのピーク値）が最初に閾値Ｔｈを超えたと判定すると、プリアンブル信号の受信を検出し（図１に１１で示す）、ＡＩＣＨで肯定応答信号ＡＣＫを端末１へ送信する。
【００１９】
しかし、伝搬環境等あるいは、基地局１０で基地局１０向けのプリアンブル信号を誤検出している場合は、端末１がその肯定応答信号ＡＣＫを受信できない（図１に１２で示す）。この場合、端末１は“基地局でプリアンブル信号を検出できていない”と判断して、送信パワーを少し上げながら（rampingしながら）、最短３スロット後にプリアンブル信号を図１にpreamble4で示すように基地局１０へ送信する。
【００２０】
すると、基地局１０では、肯定応答信号ＡＣＫ送信後は、本来は端末１からランダムアクセスのメッセージを受信するはずであるが、プリアンブル信号を受信する。この場合、基地局１０は、受信した信号がプリアンブル信号であるので、図１に１３で示すように、メッセージに含まれるべきＣＲＣ符号を用いた誤り検出により誤り有り（ＣＲＣ ＮＧ）の検出結果を得る。これにより、基地局１０は、受信信号がメッセージではないと判断すると共に、受信した信号がプリアンブル信号であると検出する。
【００２１】
続いて、基地局１０は、肯定応答信号ＡＣＫを送信した後、一定期間（例えば、６スロット×８回）は、次に受信する信号がプリアンブル信号の場合は、そのプリアンブル信号のパス位置が同じであるかどうかを判定する。パス位置が同じであるかどうかの判定は、基地局１０が前回受信したプリアンブル信号(preamble3)と、端末１からランピング再送された今回受信したプリアンブル信号(preamble4)のパス位置（伝搬遅延量）同士を比較して同じであるかどうかにより判定する。パス位置が同じである場合は、同一端末１からのプリアンブル信号の再送であると判断して（図１に１３で示す）、ＡＩＣＨで否定応答信号ＮＡＣＫを送信する。
【００２２】
端末１は、伝搬環境等によりその否定応答信号ＮＡＣＫも受信できない（図１に１４で示す）場合、端末１は“基地局でプリアンブル信号を検出できていない”と再び判断して、送信パワーを少し上げながら（rampingしながら）、最短３スロット後にプリアンブル信号を図１にpreamble5で示すように基地局１０へ送信する。
【００２３】
基地局１０は、一度否定応答信号ＮＡＣＫを送信すると、メッセージ待ち受け状態を解除して端末１からのＮＡＣＫに対応するメッセージを待ち受けない。基地局１０は、この状態で受信信号がプリアンブル信号の再送であると検出すると（図１に１５で示す）、ＡＩＣＨで否定応答信号ＮＡＣＫを送信する。端末１は、伝搬環境等によりその否定応答信号ＮＡＣＫも受信できない（図１に１６で示す）場合、再びプリアンブル信号を送信する。以下、上記と同様の動作が繰り返される。
【００２４】
ここで、本実施形態のランダムアクセス方法では、基地局１０は、一度否定応答信号ＮＡＣＫを送信すると、端末１からのＮＡＣＫに対応するランダムアクセスのメッセージの待ち受け状態を解除するため、ベースバンドリソースの効率利用が可能になる。
【００２５】
次に、基地局１０の概略構成について説明する。
【００２６】
図３は、本発明になる基地局装置の原理構成図を示す。同図に示すように、基地局１０は、受信部２１、送信部２２、及び制御部２３より構成されている。受信部２１は、図示しない通信端末からプリアンブル信号を受信する。送信部２２は、通信端末へ肯定応答信号又は否定応答信号をランダムアクセスチャネルを用いて送信する。制御部２３は、受信部２１が通信端末から第１のプリアンブル信号を受信したときに、通信端末へランダムアクセスチャネルを用いて送信部２２により肯定応答信号を送信させた後、一定期間内で受信部２１が受信した第２のプリアンブル信号と第１のプリアンブル信号の送信元が同じ通信端末である場合、ランダムアクセスチャネルを用いて送信部２２により否定応答信号を送信元の通信端末へ送信させる。
【００２７】
図４は、本発明になる基地局装置の一実施形態の概略構成を示すブロック図である。同図に示すように、基地局装置は、図示しない通信端末から送信された信号を受信手段１００で受信して得た受信ベースバンド信号を、サーチャー部１０１とｎ回路並列に設けられたフィンガー部１０２−１〜１０２−ｎにそれぞれ供給する。サーチャー部１０１は、受信ベースバンド信号の相関電力の時間ピーク値を検出する。
【００２８】
フィンガー部１０２−１〜１０２−ｎのそれぞれは、セレクタ１０５−１〜１０５ｎ、逆拡散部１０６−１〜１０６−ｎ、チャネル推定部１０７−１〜１０７−ｎ、及び同期検波部１０８−１〜１０８−ｎから構成される。フィンガー部１０２−１〜１０２−ｎのそれぞれは、まず、セレクタ１０５−１〜１０５ｎにより受信ベースバンド信号から所定パスの信号を選択する。続いて、フィンガー部１０２−１〜１０２−ｎのそれぞれは、逆拡散部１０６−１〜１０６−ｎにより、コード発生器１０３から時間合わせのための遅延部１０４を通して入力されたコード（拡散符号）と、サーチャー部１０１からの時間ピーク値とに基づいて、セレクタ１０５−１〜１０５ｎにより選択した信号を逆拡散する。
【００２９】
フィンガー部１０２−１〜１０２−ｎ内のチャネル推定部１０７−１〜１０７−ｎは、逆拡散部１０６−１〜１０６−ｎからの逆拡散データよりパイロットシンボルを用いてチャネル推定を行う。同期検波部１０８−１〜１０８−ｎは、チャネル推定部１０７−１〜１０７−ｎからのチャネル推定値と、逆拡散部１０６−１〜１０６−ｎからの逆拡散データとにより復調を行い、得られた復調データをレイク（ＲＡＫＥ）合成部１０９へ出力する。レイク合成部１０９は、それぞれ入力された復調データを合成した後、合成した復調データを信号処理部１１０に供給してチャネルデコードを行う。
【００３０】
一方、サーチャー部１０１は、受信ベースバンド信号の相関電力の時間ピーク値を検出することで、プリアンブル信号の検出処理を行う。ＡＩＣＨ送信処理部１１１は、サーチャー部１０１の検出結果に基づいて、図１に示した処理アルゴリズムに従って応答信号ＡＣＫ又はＮＡＣＫを生成してＡＩＣＨで通信端末へ送信する。ＡＩＣＨ送信処理部１１１は、通信端末から送信されるメッセージの受信の待ち受け状態にある肯定応答信号送信後の一定期間内において、受信手段１００により受信した信号がプリアンブル信号であるときは、そのプリアンブル信号の送信元が肯定応答信号を送信した通信端末と同じであるか否かを判定し、同じであるときは否定応答信号ＮＡＣＫをプリアンブル信号の送信元の通信端末へ送信する。
【００３１】
なお、上記の実施形態では、基地局による同一端末かどうかの判断基準としてパス位置を用いるように説明したが、本発明はこれに限定されるものではなく、例えば、基地局１０が前回受信したプリアンブル信号と、端末１から再送されて今回受信したプリアンブル信号とのパスレベル同士を比較して判断してもよく、あるいは、前回受信したプリアンブル信号と今回受信したプリアンブル信号の基地局１０の受信間隔（例えば、６スロット）に基づいて同一端末からの送信であると判断してもよい。
【００３２】
なお、上記の実施の形態ではＷ−ＣＤＭＡ方式に適用したものとして説明したが、本発明はＷーＣＤＭＡ方式以外の多元接続方式にも適用可能である。
【図面の簡単な説明】
【００３３】
【図１】本発明のランダムアクセス方法の一実施形態のシーケンス図である。
【図２】本発明の基地局装置の受信信号の一例のタイミングチャートである。
【図３】本発明の基地局装置の原理構成図である。
【図４】本発明の基地局装置の一実施形態の概略ブロック図である。
【図５】従来のランダムアクセス方法の一例のシーケンス図である。
【図６】従来のランダムアクセス方法の課題説明図である。
【符号の説明】
【００３４】
１  端末
１０  基地局
１１  プリアンブル検出
１２  ＡＣＫ未検出
１３  メッセージ受信ＣＲＣ ＮＧ及びプリアンブル再送検出
１４、１６ＮＡＣＫ未検出
１５  プリアンブル再送検出
２１  受信部
２２  送信部
２３  制御部
１００  受信手段
１０１  サーチャー部
１０２−１〜１０２−ｎ  フィンガー部
１０３  コード発生器
１０５−１〜１０５−ｎ  セレクタ
１０６−１〜１０６−ｎ  逆拡散部
１０７−１〜１０７−ｎ  チャネル推定部
１０８−１〜１０８−ｎ  同期検波部
１０９  ＲＡＫＥ合成部
１１０  信号処理部
１１１  ＡＩＣＨ送信処理部
【図１】
2009177653.tif 000003
【図２】
2009177653.tif 000004
【図３】
2009177653.tif 000005
【図４】
2009177653.tif 000006
【図５】
2009177653.tif 000007
【図６】
2009177653.tif 000008